(57)【特許請求の範囲】
【請求項１】
座席部（２）を有する自転車用補助座席装置において、前記座席部（２）は、座面（７）の後部に背もたれ（８）が設けられ、座面（７）の左右両側にサイドガード（９，１０）が設けられたものであって、サイドガード（９，１０）の一方又は両方が座席部（２）に対する子供の乗せ降ろしに邪魔とならない退避位置へ向けて移動可能とされ、この退避位置への移動によって座席部（２）に対する乗降口（３５）を形成可能になっており、前記サイドガード（９）は、その下部側の前寄り位置が座面（７）の前部寄り側面位置に突設された支持軸（３０）まわりで回動自在で且つ前後動自在に保持されていると共に、サイドガード（９）における上部側の後端位置に、背もたれ（８）に設けられるキャッチ部（３１）との間で係合離脱可能な係合片（２８）が設けられていることを特徴とする自転車用補助座席装置。
【発明の詳細な説明】
【０００１】
【発明の属する技術分野】
本発明は、自転車用補助座席装置に関するものである。
【０００２】
【従来の技術】
自転車へ子供を同乗させる場合に用いる補助座席装置は、座席部と、この座席部の前方に設けられるハンドルと、これら座席部及びハンドルを自転車へ取付可能にする取付手段とを有したものとして構成されている（特開平１１−１２９９５３号公報等参照）。
この種の補助座席装置に備えられる座席部は、多くの場合、バケットタイプとなっている。すなわち、着座者が実際に腰を降ろす座面に対し、その後部に背もたれが設けられ、また座面の左右両側にサイドガードが設けられたものとなっている。
【０００３】
なお、サイドガードには、肘の外側を覆う状態で子供の横揺れを抑制するものをはじめ、アームレスト（肘掛け）状のものもある。
【０００４】
【発明が解決しようとする課題】
このようなバケットタイプの座席装置に子供を乗せ降ろしさせる場合は、子供を、そのつま先の高さがサイドガード又は背もたれを越える高さまで、一旦持ち上げてから、座面へ腰を降ろさせるようにしなければならなかった。
このようなことから、子供の乗せ降ろしは力仕事となり、しかも子供の足がサイドガードや背もたれ等にぶつかったり引っかかったりして、やりにくいということもあった。
【０００５】
本発明は、上記事情に鑑みてなされたものであって、子供の乗せ降ろしが容易に行えるようにした自転車用補助座席装置を提供することを目的とする。
【０００６】
【課題を解決するための手段】
前記目的を達成するために、本発明は次の手段を講じた。
即ち、本発明に係る自転車用補助座席装置は、その前提として、座席部を有して構成されたものである。
そして、座席部に子供を着座させた状態下では子供の胴体まわりに必要とされる起立部材のうち少なくとも一つが、座席部に対する子供の乗せ降ろしに邪魔とならない退避位置へ向けて移動可能になっており、この退避位置への移動によって座席部に対する乗降口を形成可能になったものである。
【０００７】
このようなことから、上記した移動可能な起立部材を退避位置へ移動させ、乗降口を形成させれば、座席部に対して子供を乗せ降ろしすることが簡単に行えるようになる。
なお、ここにおいて「座席部に対する乗せ降ろし」とは、子供を持ち上げたとき、その子供のつま先が座席部の座面レベルと略同じレベルとなるようにして（そのような高さに子供を持ち上げて）、このまま子供を横移動させることによって座席部へ乗せたり、或いは反対に座席部から降ろしたりすることを言うものとする。
【０００８】
そして、この「座席部に対する乗せ降ろし」を「邪魔しない退避位置」とは、上記のように子供を持ち上げて横移動させるときに、子供にぶつからないような位置を言うものである。
従って、この退避位置とは作用的な観点から設定されるものであり、起立部材が具体的に何であるか等によって、その位置付けや退避のための移動方向も変わってくる。
すなわち、上記した移動可能な起立部材は一義的なものではなく、また決して、退避移動後に座面レベルより高い位置に存在するもの（起立部材）を無くしてしまう、といったようなことを限定したものではない。
【０００９】
座席部は、上記したようにバケット形とすればよく、従ってこの場合は、座面の後部に背もたれが設けられ、座面の左右両側にサイドガードが設けられていることになる。
そこで、上記した移動可能な起立部材は、サイドガードの一方又は両方とすることができる。
このようにした場合は、停車させた自転車の側方から子供の乗せ降ろしを行うようにすればよい。
【００１０】
なお、両方のサイドガードとも移動可能にしておけば、子供の乗せ降ろしを、自転車の左右どちら側からでも任意に行えるようになる。
サイドガードは、その下部側の前寄り位置が座面の前部寄り側面位置に突設された支持軸まわりで回動自在で且つ前後動自在に保持されていると共に、サイドガードにおける上部側の後端位置に、背もたれに設けられるキャッチ部との間で係合離脱可能な係合片が設けられたものとすることができる。
上記した移動可能な起立部材は、背もたれとすることもできるし、また座席部の前方に設けられるハンドル（自転車のハンドルではなく補助座席装置が具備するハンドルである）とすることもできる。
【００１１】
【発明の実施の形態】
以下、本発明の実施の形態を、図面に基づき説明する。
図１乃至図５は、本発明に係る座席部２を有する自転車用補助座席装置１の第１実施形態を示している。
この補助座席装置１は、座席部２と、この座席部２の前方に設けられるハンドル３と、これら座席部２及びハンドル３を自転車（図示略）へ取付可能にする取付手段４とを有している。
【００１２】
本第１実施形態の補助座席装置１は、自転車におけるハンドルステムの後部に装着するタイプで、上記取付手段４はハンドル３よりも前部側で正面を向いて設けられている。
座席部２はバケット形とされており、子供を座らせる座面７に対し、その後部に背もたれ８が設けられ、また座面７の左右両側にサイドガード９，１０が設けられたものとなっている。
座面７側からハンドル３を見て向かって左側となるサイドガード９は、座面７や背もたれ８とは別部材により形成され、後付けされたものとなっており、これに対し、座面７側からハンドル３を見て向かって右側となるサイドガード１０は、座面７側から一体的に起立して、また背もたれ８とも一体化された状態で形成されたものとなっている。
【００１３】
ハンドル３は、座席部２における座面７の前部に前方延出状態で連結されたベース体１２に対し、その前端部上方へ起立するハンドルポスト１３を介してその上端部に設けられている。
ベース体１２には、その前部寄りの下部に、左右方向へ二股に分かれて下方に突出する一対の足受け部１４が設けられており、これら足受け部１４の下端部にはその左右両側へ折曲状にステップ１５が設けられている。
ベース体１２を核として、これらハンドル３、ハンドルポスト１３、足受け部１４及びステップ１５は、適宜樹脂材によって互いに一体形成されている。なお、これらは別部材より形成して、後で組み合わせる構造としても勿論構わない。
【００１４】
上記したベース体１２は、上記座席部２との間が、軸心を左右方向へ向けて水平に設けられた連結軸１７を介して連結されており、互いに上下方向へ揺動自在となっている。
そして、ベース体１２側の連結端面が座席部２へ向けてオーバーハングし、これに対して座席部２側の連結端面がベース体１２へ向けて階段状に形成され、これらが噛み合わさるようになっているので、ベース体１２と座席部２の座面７とが水平方向で面一となる状態が下限とされ、この状態からベース体１２及び座席部２は上方への揺動だけが許容される状態となっている。
【００１５】
従って座席部２は、その子供を同乗させる準備等においてはベース体１２（ハンドル３）側を基準に、連結軸１７を中心として前傾姿勢にすべく上方へ跳ね上げ揺動させることで自転車（図示略）への（運転者）の乗車を容易にすると共にこの乗車状態から子供を同乗するときは後傾姿勢（元の位置）として運転者が子供を持上げて乗降口を介して乗せ得るのであり、また不使用時には自転車から取り外した状態では補助座席装置１の全体としてのコンパクト化等が図れるようになっている。
【００１６】
また、自転車への取付状態においては、その使用角度が所定（座席部２が略水平になる状態）に設定されることになる。
取付手段４は、左右一対の引っ掛け部材２０と、これら両引っ掛け部材２０の相互間のやや下部側に設けられた連結部材２１とを有している。
引っ掛け部材２０は、細帯板材をΩ形に折り曲げしたもので、中央孔を左右横向きにし、開口側を下向きにしてハンドルポスト１３に取り付けられている。
従って、この引っ掛け部材２０は、自転車のハンドル（図示略）におけるハンドルステム両脇位置にその上から係合させることができる。
【００１７】
連結部材２１は、上記のように引っ掛け部材２０を自転車のハンドルに引っ掛けたときに、自転車のハンドルステムへその後面側から係合可能となった部分で、平面視状態で開口部を前方へ向けたＵ形に凹部形成された係合部２２と、この係合部２２の前部で、枢支ピン２４を中心として上下揺動自在に設けられたシャッター片２３とを有している。
すなわち、シャッター片２３を上方へ跳ね上げておき、この状態で係合部２２を自転車のハンドルステムへ嵌め付けた後、シャッター片２３で係合部２２の前部を閉じるように下向きに揺動させ、シャッター片２３を係合部２２の前部へ係合させることで、ハンドルステムへの抱き付き状態を固定させるものである。
【００１８】
上記した座席部２において、座面７側からハンドル３を見て向かって左側となるサイドガード９は、その下部側にあって座面７の左側面に当接されるようになる辺部の前寄り位置に、前後方向に長い長孔２７が設けられている。
また、このサイドガード９の上部側にあってその後端位置には、図２に示すように、背もたれ８の背面側へ向けてピン状に突出された係合片２８が設けられている。
これに対し、座面７の左側面には、サイドガード９の上記長孔２７に嵌る支持軸３０が側方突出状に設けられている。すなわち、サイドガード９は、支持軸３０まわりで回動自在であると共に、前後移動自在である。
【００１９】
また、背もたれ８の背面部には、サイドガード９の係合片２８を係合離脱自在にするキャッチ部３１が設けられている。
本第１実施形態において、このキャッチ部３１は、サイドガード９の係合片２８がピン状に形成されていることに関連して弾性的に開閉動作が可能なＣ形クランプとしてあるが、これは特に限定されるものではなくて係合片２８の形状によっても適宜変更可能であるし、また機構的に、ネジ止め構造や鉤フック止め構造等を採用して係合片２８の係合状態をロックできるかたちとすることも可能である。
【００２０】
従って、このサイドガード９は、図１及び図４に示すように、係合片２８をキャッチ部３１へ係合させた状態では、座面７側からハンドル３を見て向かって右側となるサイドガード１０と同様に、座面７側から起立するかたちで座席部２に着座した子供の胴体まわりを囲むことができるものである。
そして、この状態から図２及び図５に示すように、係合片２８をキャッチ部３１から外し、支持軸３０に対し長孔２７で許容される分でサイドガード９を後退させ、更にサイドガード９をその後端側を下げる向きに揺動させると、図３で示したように、座席部２として、サイドガード９が起立していた元の位置に座席部２に対する乗降口３５が形成されることになる。
【００２１】
そのため、この乗降口３５を介して子供の水平乗せ降ろしができることになり、このときわざわざ子供をサイドガード９の元の起立高さ（サイドガード１０の高さに同じ）や背もたれ８の高さを越えて持ち上げる必要がなくなる。
なお、サイドガード９は、図３で示した後傾状態で止まるように、適宜ストッパ（図示略）で当て止めする構造としてもよいし、そのまま後傾状態を越えて真下位置へぶら下げるようにしてもよい。
また、サイドガード９はその前側下端側を前後方向軸心廻りで揺動させて、ぶら下げたときに乗降口３５を形成するようにしてもよい。
【００２２】
図６は、本発明に係る自転車用補助座席装置１の第２実施形態を示している。
この第２実施形態では、サイドガード９ではなく、背もたれ８が後方へ揺動するものとなっており、この背もたれ８が起立していた元の位置に座席部２に対する乗降口３５が形成されることになる。
なお、この場合、背もたれ８を揺動させるのは乗降口３５の形成を主目的としたものであり、単に、背もたれ８にリライニング機能を具備させるだけの場合とは、目的及び作用効果として明らかに異質のものであると言うことができる。
【００２３】
ただ、本発明において背もたれ８を揺動可能とさせることで、背もたれ８にリライニング機能をも兼備させるということは機構的に可能であり、且つ本発明は、このようにすることを妨げるものではない。
図７は、本発明に係る自転車用補助座席装置１の第３実施形態を示している。
この第３実施形態では、サイドガード９や背もたれ８といった座席部２の構成要素を移動させるものではなく、この座席部２の前方に設けられるハンドル３が、ハンドルポスト１３の中途部又は根本部から前方へ揺動するものとなっている。
【００２４】
従って、このハンドル３乃至ハンドルポスト１３が起立していた元の位置に、座席部２に対する乗降口３５が形成されることになる。
これら第１乃至第３実施形態に関する説明から明らかなように、本発明では、座席部２としてのサイドガード９（サイドガード１０も含む）や背もたれ８、或いは座席部２ではなくハンドル３について、正規の起立位置と、座席部２に対する子供の乗せ降ろしに邪魔とならない退避位置との間での移動を可能にしたものであり、これらを総じて、「座席部２に子供を着座させた状態下では子供の胴体まわりに必要とされる起立部材」としてとらえているものであり、また「座席部２に対する子供の乗せ降ろしに邪魔とならない退避位置との間での移動を可能」は、起立部材を取外し自在としたことを含む意味である。
【００２５】
ところで、本発明は、上記各実施形態に限定されるものではなく、細部の構造や部材形状、部材材質等において、実施の形態に応じて適宜変更可能である。
例えば、補助座席装置１においては、自転車のサドル後部へ装着するタイプとして構成させることも可能である。
【００２６】
【発明の効果】
以上の説明から明らかなように、本発明に係る自転車用補助座席装置は、座席部に設けられるサイドガード等の起立部材のうち少なくとも一つを、座席部に対する子供の乗せ降ろしに邪魔とならない退避位置へ向けて移動可能にし、これによって座席部に対する乗降口を形成させるものとしたので、座席部に対する子供の乗せ降ろしが簡単に行えるようになる。
【図面の簡単な説明】
【図１】  本発明に係る補助座席装置の第１実施形態を示す斜視図である。
【図２】  第１実施形態の補助座席装置を背面側から示す要部斜視図である。
【図３】  図５の状態からサイドガードを後傾させた状態を示す側面図である。
【図４】  図１に対応する側面図である。
【図５】  図４の状態からサイドガードを後退させた状態を示す側面図である。
【図６】  本発明に係る補助座席装置の第２実施形態を示す側面図である。
【図７】  本発明に係る補助座席装置の第３実施形態を示す側面図である。
【符号の説明】
１    補助座席装置
２    座席部
３    ハンドル（起立部材）
４    取付手段
７    座面
８    背もたれ（起立部材）
９    サイドガード（起立部材）
１０    サイドガード（起立部材）
２８    係合片
３０    支持軸
３１    キャッチ部
３５    乗降口
【図１】
0004504548.tif 000002
【図２】
0004504548.tif 000003
【図３】
0004504548.tif 000004
【図４】
0004504548.tif 000005
【図５】
0004504548.tif 000006
【図６】
0004504548.tif 000007
【図７】
0004504548.tif 000008